(57)【特許請求の範囲】
【請求項１】
シートを搬送方向に搬送する搬送手段と、
前記搬送方向と交差する第１方向および前記第１方向と反対の第２方向に移動するキャリッジと、
前記キャリッジに設けられ、前記キャリッジの移動に伴い回転する駆動出力部と、
回転する回転刃を有し、前記キャリッジと結合するカッターユニットと、
前記カッターユニットに設けられ、前記駆動出力部と同軸の軸線上で連結されて前記駆動出力部の回転を前記回転刃に伝達する駆動入力部と、を備える切断装置であって、
前記カッターユニットに設けられ、前記キャリッジが前記第１方向に移動すると前記駆動入力部に入力された回転を前記回転刃に伝達し、前記キャリッジが前記第２方向に移動すると前記駆動入力部に入力された回転を前記回転刃に伝達しない振り子ギアを備えることを特徴とする切断装置。
【請求項２】
前記駆動出力部および前記駆動入力部は、一方が位置決め凸部を設けた伝達凸部であり、他方が位置決め凹部を設けた伝達凹部であることを特徴とする請求項１に記載の切断装置。
【請求項３】
前記位置決め凸部または前記伝達凸部の一方が、前記位置決め凹部または前記伝達凹部の一方に対して、前記搬送方向と交差する方向に変位可能であることを特徴とする請求項２に記載の切断装置。
【請求項４】
前記キャリッジと前記カッターユニットの、一方に設けられた回り止め凸部と他方に設けられた回り止め凹部とを含む回り止め手段を備え、
前記回り止め手段は、前記キャリッジと前記カッターユニットとの結合により前記回り止め凸部と前記回り止め凹部とが嵌合して、前記キャリッジと前記カッターユニットとが前記搬送方向の軸に対して相対回転しないことを特徴とする請求項１乃至３のいずれか１項に記載の切断装置。
【請求項５】
前記回り止め手段は、前記回転刃よりも前記第１方向の側に位置することを特徴とする請求項４に記載の切断装置。
【請求項６】
シートを搬送方向に搬送する搬送手段と、
前記搬送方向と交差する方向に移動するキャリッジと、
前記キャリッジに設けられ、前記キャリッジの移動に伴い回転する駆動出力部と、
回転する回転刃を有し、前記キャリッジと結合するカッターユニットと、
前記カッターユニットに設けられ、前記駆動出力部と同軸の軸線上で連結されて前記駆動出力部の回転を前記回転刃に伝達する駆動入力部と、
前記駆動出力部に延在して設けられた位置決め凸部と、
前記駆動入力部に延在して設けられ、前記位置決め凸部が挿入される位置決め凹部と、
前記キャリッジに設けられた回り止め凹部と、
前記カッターユニットに設けられ、前記回り止め凹部と嵌合する回り止め凸部と、を備える切断装置であって、
前記位置決め凸部が前記回転刃と対向した際に、前記位置決め凸部と前記回転刃とが接触する前に前記キャリッジの対向部に前記回り止め凸部が先に接触することにより、前記位置決め凸部と前記回転刃とが接触しないことを特徴とする切断装置。
【請求項７】
前記位置決め凸部と前記位置決め凹部または前記回り止め凸部と前記回り止め凹部の、一方が嵌合したときに、前記カッターユニットの重力による落下を防止することを特徴とする請求項６に記載の切断装置。
【請求項８】
前記回り止め凸部と前記回り止め凹部とを結合するように、前記キャリッジと前記カッターユニットとの前記搬送方向からネジ付けられるネジを備え、
前記回り止め凸部は、前記ネジが収まる長さの収容部を有することを特徴とする請求項６または７に記載の切断装置。
【請求項９】
前記収容部は、前記ネジの頭部の位置を規制する爪を備えることを特徴とする請求項８に記載の切断装置。
【請求項１０】
請求項１乃至９のいずれか１項に記載の切断装置と、シートに画像をプリント可能なプリント手段と、を備えることを特徴とするプリント装置。
【発明の詳細な説明】
【技術分野】
【０００１】
本発明は、シートを切断可能な切断装置、およびそれを備えたプリント装置に関するものである。
【背景技術】
【０００２】
特許文献１には、シートの切断方向に移動するキャリッジに対して、回転刃を備えたカッターユニットが着脱可能な切断装置が記載されており、使用者は、カッターユニットを交換することによって、回転刃を新規なものと交換することができる。この切断装置は、キャリッジにカッターユニットを結合する際に、キャリッジ側の出力回転軸に形成された断面六角形の穴に、回転刃に連結されるカッターユニット側の断面六角形の入力回転軸を嵌合させるように構成されている。これらの出力回転軸および入力回転軸は、回転刃を回転させるための駆動力の伝達機構を構成する。
【先行技術文献】
【特許文献】
【０００３】
【特許文献１】特開２００８−３０１６８号公報
【発明の概要】
【発明が解決しようとする課題】
【０００４】
しかし、駆動力の伝達機構を構成する出力回転軸と入力回転軸との嵌合だけでは、キャリッジにカッターユニットを結合する際に、カッターユニットを正しく位置決めすることは難しい。
【０００５】
本発明の目的は、装置の小型化を図りつつ、カッターユニットの位置決め精度を高めて、それを作業効率よくキャリッジに結合することができる切断装置およびプリント装置を提供することにある。
【課題を解決するための手段】
【０００６】
本発明の切断装置は、シートを搬送方向に搬送する搬送手段と、前記搬送方向と交差する第１方向および前記第１方向と反対の第２方向に移動するキャリッジと、前記キャリッジに設けられ、前記キャリッジの移動に伴い回転する駆動出力部と、回転する回転刃を有し、前記キャリッジと結合するカッターユニットと、前記カッターユニットに設けられ、前記駆動出力部と同軸の軸線上で連結されて前記駆動出力部の回転を前記回転刃に伝達する駆動入力部と、を備える切断装置であって、前記カッターユニットに設けられ、前記キャリッジが前記第１方向に移動すると前記駆動入力部に入力された回転を前記回転刃に伝達し、前記キャリッジが前記第２方向に移動すると前記駆動入力部に入力された回転を前記回転刃に伝達しない振り子ギアを備えることを特徴とする。
【発明の効果】
【０００７】
本発明によれば、キャリッジとカッターユニットとの結合により可動刃の動力の伝達機構の構成部分に、カッターユニットの位置決め機構の構成を集約的に備えることにより、装置の小型化を図りつつ、カッターユニットの位置決め精度を高めることができる。したがって、キャリッジに対してカッターユニットを作業効率よく結合することができる
【図面の簡単な説明】
【０００８】
【図１】本発明に係るプリント装置の概略構成図である。
【図２】図１のプリント装置の制御系のブロック図である。
【図３】図１における切断装置の斜視図である。
【図４】切断装置の上面図である。
【図５】切断装置の斜視図である。
【図６】切断装置におけるキャリッジの斜視図である。
【図７】切断装置の側面図である。
【図８】切断装置におけるカッターユニットの要部を上方から視た拡大図である。
【図９】切断方向に移動中のカッターユニットの正面図である。
【図１０】切断方向と反対の方向に移動中のカッターユニットの正面図である。
【図１１】カッターユニットを背面側から視た斜視図である。
【図１２】カッターユニットを正面側から視た斜視図である。
【図１３】カッターユニットの取り付け開始時における要部の断面図である。
【図１４】カッターユニットの取り付け途中における要部の断面図である。
【図１５】カッターユニットの取り付け後における要部の断面図である。
【図１６】カッターユニットの交換時の動作を説明するためのフローチャートである。
【発明を実施するための形態】
【０００９】
以下、本発明の実施形態について図面を参照して説明する。
【００１０】
図１は、本発明に係るインクジェットプリント装置１００の一実施形態を説明するための断面図である。プリント装置１００にはロール状に巻回された連続シート１が保持され、そのシート１は、上ガイド６と下ガイド７との間の搬送路を通して送られる。シート１は、搬送ローラ８とピンチローラ９と間のニップ部に挟持されて、矢印Ｙの搬送方向に搬送されて、プリントヘッド２と対向するプリント位置に配備されたプラテン１０上に送られる。プリント位置に搬送されたシート１には、プリントヘッド２から吐出されるインクによって画像がプリントされる。プリントヘッド２、プリントヘッド２を搭載するキャリッジ３、およびプリントヘッド２に対向配備されたプラテン１０によって、画像プリント部が構成される。プリント装置１００には、キャリッジシャフト４、および不図示のガイドレールが互いに平行に配備されており、これらに沿って、キャリッジ３が搬送方向Ｙと交差（本例の場合は、直交）する方向に往復移動可能にガイドされている。キャリッジ３に備わる紙端センサ１２は、キャリッジ３と共に移動することによりシート１の端部の位置を検知する。画像プリント部は、キャリッジ３の往動または復動を伴って１ライン分の画像をプリントしてから、シート１を搬送方向に所定量だけ搬送し、その後、キャリッジ３の移動を伴って次のラインの画像をプリントする。画像がプリントされたシート１のプリント部分（プリント済みの部分）は、排紙ガイド１１へ向けて搬送される。
【００１１】
このような動作を繰り返すことによって、シート１に画像が順次プリント可能である。所定の画像がプリントされたシート１の部分は、切断装置５の切断位置において切断される。切断されたシート（カットシート）は、排紙ガイド１１からプリント装置１００の外側へ排出される。プリント装置１００は、本例のようなシリアルスキャン方式のみに特定されず、いわゆるフルライン方式などであってもよく、またインクジェット方式以外のプリント方式であってもよい。
【００１２】
図２は、プリント装置１００の制御系の構成を説明するためのブロック図である。
【００１３】
プリント装置１００に備わる制御部４００は、カッターモータ１０３のエンコーダ１０４、紙端センサ１２、待機位置センサ１０６からの信号に基づいて、搬送モータ５１、カッターモータ１０３、キャリッジモータ５２、およびプリントヘッド２を制御する。制御部４００には、不図示のＣＰＵ、ＲＯＭ、ＲＡＭ、およびモータドライバ等が備えられており、主制御部４１０、搬送制御部４２０、およびプリント制御部４３０が構成されている。主制御部４１０は、搬送制御部４２０とプリント制御部４３０に対して指令を与える。搬送制御部４２０は、主制御部４１０の制御下において、搬送モータ５１により搬送ローラ８を回転させてシート１を搬送し、カッターモータ１０３により切断装置５を作動させてシート１を切断する。プリント制御部４３０は、キャリッジモータ５２によるキャリッジ３の移動と、プリントヘッド２からのインクの吐出動作と、によって、シート１に画像をプリントする。
【００１４】
（切断装置の概略構成）
図３は切断装置５の全体を示す斜視図、図４は、プリント装置１００に備わる切断装置５の周辺部の平面図、図５は、切断装置５の要部の斜視図である。
【００１５】
切断装置５は、ガイドレール１０１、歯付のベルト１０２、キャリッジ２００、およびカッターユニット３００を含む。ガイドレール１０１は、シート１の搬送方向（矢印Ｙ方向）と交差する方向に沿って、キャリッジ２００を往復移動可能にガイドする。本例の場合、キャリッジ２００は、搬送方向と直交する矢印Ｘ１，Ｘ２方向に往復移動可能にガイドされる。キャリッジ２００はベルト１０２に連結されている。ガイドレール１０１の一方側には、カッターモータ１０３およびモータプーリ１０７が配備され、他方側には、テンショナプーリ１０８およびテンショナバネ１０９が配備されている。ベルト１０２は、モータプーリ１０７とテンショナプーリ１０８との間に架け渡される。テンショナバネ１０９によってテンショナプーリ１０８が矢印Ｘ２方向に付勢されることにより、ベルト１０２に張力が与えられて、ベルト１０２の歯飛びが防止される。
【００１６】
カッターユニット３００は、後述するように、キャリッジ２００に対して結合方向（所定方向）から交換可能に結合される。カッターユニット３００は、シート１を切断可能な円盤状の上可動刃３０１と下可動刃３０２とを有する。これらの可動刃３０１，３０２は、図４のように、切断方向となる方向Ｘ１に対して所定量の角度θ（交差角）で交差するように配備されており、これらの接触点においてシート１が切断される。カッターユニット３００は、キャリッジ２００と共に矢印Ｘ１，Ｘ２方向に往復移動し、矢印Ｘ１方向に移動するときにシート１を切断する。後述するように、キャリッジ２００は、それ自体とベルト１０２との相対移動から回転力を得て、その回転力により、カッターユニット３００の下可動刃３０２を回転駆動させる。これにより、シート１の切断時には、下可動刃３０２と、それに接触する上可動刃３０１と、がいずれも回転する。
【００１７】
画像のプリント中、カッターユニット３００は、シート１の端部１ａの外側の待機位置Ｐ１にて待機しており、シート１の切断時には、待機位置Ｐ１から矢印Ｘ１の切断方向に移動する。シート１の切断後は、シート１の幅に対応する反転位置Ｐ２にて反転し、次の切断動作のために待機位置Ｐ１に戻って待機する。カッターユニット３００の矢印Ｘ２方向の移動は、切断動作には寄与しない。
【００１８】
カッターモータ１０３に備わるエンコーダ１０４の出力信号（パルス信号）に基づいて、カッターユニット３００の矢印Ｘ１，Ｘ２の移動位置を制御することができる。予め、エンコーダ１０４のパルス数と、カッターユニット３００の移動量と、の関係が分かっているため、エンコーダ１０４のパルス数を計数することによって、カッターユニット３００の移動量が分かる。待機位置Ｐ１の近傍の定位置にセンサホルダ１０５が固定されており、このセンサホルダ１０５には待機位置センサ１０６が備えられている。カッターユニット３００に配されたセンサフラグ部３０５ｆを待機位置センサ１０６によって検知することにより、カッターユニット３００を待機位置Ｐ１に正確に停止させることができる。また待機位置センサ１０６によって、待機位置Ｐ１におけるカッターユニット３００の有無を検知することもできる。
【００１９】
（キャリッジの構成）
図６はキャリッジ２００の斜視図、図７は切断装置５の側面図である。
【００２０】
キャリッジ２００は、後述するように４つのガイド面１０１ａ，１０１ｂ，１０１ｃ，１０１ｄを有するガイドレール１０１の内部に配される。キャリッジシャーシ２０１、キャリッジホルダ２０２、上コロホルダ（第１保持部）２０３、および下コロホルダ（第２保持部）２０４を含む。キャリッジホルダ２０２のベルト挿入部２０２ａには、ベルト１０２の両端部が挿入されて連結される。キャリッジホルダ２０２はキャリッジシャーシ２０１に固定される。コロホルダ２０３，２０４は、後述するようにガイド体としてのコロ（回転体）を保持する。
【００２１】
キャリッジ２００をガイドレール１０１に沿って滑らかに移動させるために、キャリッジ２００とガイドレール１０１との間に若干の隙間を設けた場合には、その隙間の範囲において、キャリッジ２００が変位する。前述したように、カッターユニット３００の可動刃３０１，３０２が所定の角度θ（交差角）だけ傾いているため、カッターユニット３００に対しては、シート１の切断中に搬送方向上流側へ変位させるような力が作用する。そのため、シート１の切断中は、キャリッジ２００が搬送方向上流側へ変位するおそれがある。キャリッジ２００と一体に結合されるカッターユニット３００の位置が切断開始時から変位した場合には、シート１の切断部分が搬送方向に対して曲がる場合がある。よって、キャリッジ２００は、ガイドレール１０１に対して隙間がないように配備し、かつ移動時の負荷を小さくする必要がある。
【００２２】
本例においては、ガイドレール１０１とキャリッジ２００との間に下記のようなガイド機構が構成されている。
【００２３】
上コロホルダ２０３は、キャリッジシャーシ２０１に固定され、図６のように、コロ軸２０６Ａに回転自在に軸支されたコロ（第１ガイド体）２０５Ａがシート１の切断方向に２つ配備されている。下コロホルダ２０４は、上コロホルダ２０３に対向する位置において、キャリッジホルダ２０２に矢印Ａ１，Ａ２方向にスライド可能に保持されている。つまり、コロホルダ２０３，２０４は、互いに近接および離間する方向に移動可能にガイドされている。下コロホルダ２０４には、図６のように、コロ軸２０６Ｂに回転自在に軸支されたコロ（第２ガイド体）２０５Ｂがシート１の切断方向に２つ配備されている。上コロホルダ２０３と下コロホルダ２０４との間には、それらを互いに離間させる方向に付勢する押圧バネ２０７が配備されている。すなわち、上コロホルダ２０３は矢印Ａ２方向、つまり図７のように搬送方向上流側かつ上方に向かって傾斜する方向に付勢される。下コロホルダ２０４は矢印Ａ１方向、つまり図７のように搬送方向下流側かつ下方に向かって傾斜する方向に付勢される。
【００２４】
ガイドレール１０１は、コロ２０５Ａ，２０５Ｂをガイドするための第１，第２，第３，第４ガイド面１０１ａ，１０１ｂ，１０１ｃ，１０１ｄを有する。第１，第２ガイド面１０１ａ，１０１ｂは、互いに異なる平面上に位置して第１ガイド部を構成し、第３，第４ガイド面１０１ｃ，１０１ｄは、互いに異なる平面上に位置して第２ガイド部を構成する。これらの第１および第２ガイド部は、ガイドレール１０１の内側において互いに対向する。本例の場合、第１，第２ガイド面１０１ａ，１０１ｂは略直角を成す２つの平面上に位置し、同様に、第３，第４ガイド面１０１ｃ，１０１ｄは略直角を成す２つの平面上に位置する。また、第１ガイド面１０１ａと第３ガイド面１０１ｃは略並行であり、第２ガイド面１０１ｂと第４ガイド面１０１ｄは略並行である。より具体的には、第１ガイド面１０１ａと第３ガイド面１０１ｃは、シート１の搬送方向に対して直交する面であり、第１ガイド面１０１ａは、第３ガイド面１０１ｃよりも搬送方向の上流側に位置する。第２ガイド面１０１ｂと第４ガイド面１０１ｄは、上下方向に対して直交する面であり、第２ガイド面１０１ｂは、第４ガイド面１０１ｄより上側に位置する。
【００２５】
コロ２０５Ａは、２つの周縁部の一方にテ―パ部（第１被ガイド部）２０５Ａａが形成され、その他方にテーパ部（第２被ガイド部）２０５Ａｂが形成されている。矢印Ａ２方向に付勢される上コロホルダ２０３は、テ―パ部２０５Ａａを第１ガイド面１０１ａに押圧し、テーパ部２０５Ａｂを第２ガイド面１０１ｂに押圧する。コロ２０５Ｂは、２つの周縁部の一方にテ―パ部（第４被ガイド部）２０５Ｂａが形成され、その他方にテーパ部（第３被ガイド部）２０５Ｂｂが形成されている。矢印Ａ１方向に付勢される下コロホルダ２０４は、テ―パ部２０５Ｂａを第４ガイド面１０１ｄに押圧し、テーパ部２０５Ｂｂを第３ガイド面１０１ｃに押圧する。押圧バネ２０７は、第１ガイド面１０１ａと第２ガイド面１０１ｂとの間の角部に向かう矢印Ａ２方向に上コロホルダ２０３を付勢し、第３ガイド面１０１ｃと第４ガイド面１０１ｄとの間の角部に向かう矢印Ａ１方向に下コロホルダ２０４を付勢する。これにより、コロ２０５Ａ，２０５Ｂのテーパ部が対応するガイドレール１０１のガイド面に確実に押圧され、キャリッジ２００は、ガイドレール１０１に対して隙間がないように配備されて、安定した姿勢を維持することができる。このように、キャリッジ２００はガイドレール１０１に対して隙間をなくす機能を有するため、その隙間をなくすための構成を別途備える必要がなく、その分、装置の小型化を図ることができる。
【００２６】
本例では、上下のコロホルダ２０３，２０４のそれぞれに対して、コロを２つずつ計４つ配備している。しかし、コロの配備数は計３つ以上であればよい。すなわち、上下のコロホルダ２０３，２０４の一方にコロを複数備え、他方に２つ以上のコロを備えることによって、ガイドレール１０１に対してキャリッジ２００の姿勢を安定させることができる。また本例では、上下のコロホルダ２０３，２０４の間に、２つの押圧バネ２０７を備えている。しかし、押圧バネ２０７の配備数は１つ以上であればよい。
【００２７】
キャリッジ２００は、カッターモータ１０３により、ベルト１０２を介して矢印Ｘ１，Ｘ２方向に往復移動される。キャリッジ２００の移動に応じて、上下のコロホルダ２０３，２０４に備わるコロ２０５Ａ，２０５Ｂは、対応するガイド面１０１ａ，１０１ｂ，ガイド面１０１ｃ，ガイド面１０１ｄに接しつつ回転する。これによりコロ２０５Ａ，２０５Ｂは、キャリッジ２００の往復移動中において常にガイドレール１０１に接して、図７中の上下左右方向におけるキャリッジ２００の位置を規制することができる。この結果、キャリッジ２００に取り付けられるカッターユニット３００の、切断開始時からの変位を抑制して、シート１の切断部分の曲がりの発生を抑えることができる。また、コロ２０５Ａ，２０５Ｂが回転することにより、キャリッジ２００の移動時の負荷を小さくすることができる。
【００２８】
また本例においては、上コロホルダ２０３がキャリッジシャーシ２０１に固定され、下コロホルダ２０４は、キャリッジシャーシ２０１に固定されるキャリッジホルダ２０２に対して、矢印Ａ１，Ａ２方向に移動可能に備えられている。そのため、キャリッジシャーシ２０１に取り付けられるキャリッジ２００は、矢印Ａ２方向（搬送方向上流側かつ上方向）の力が作用しても、その方向に動くことはない。よってシート切断時に、カッターユニット３００が角度θ（交差角）のために搬送方向上流側の力を受けた場合にも、キャリッジ２００は、矢印Ａ２方向に動くことはなく、シート１の切断位置が正規な位置に規制される。
【００２９】
ガイドレール１０１には、その側面からキャリッジ２００を組み付ける際に、キャリッジ２００をガイドするガイドテ―パ部１０１ｅ，１０１ｆが形成されている。ガイドテ―パ部１０１ｅは、搬送方向上流側に位置する第１ガイド面１０１ａと滑らかに連続するように形成されており、搬送方向上流側に向かって傾斜されている。ガイドテ―パ部１０１ｆは、上側に位置する第２ガイド面１０１ｂと滑らかに連続するように形成されており、上側に向かって傾斜されている。このようなガイドテ―パ部１０１ｅ，１０１ｆを利用することにより、ガイドレール１０１の側面からキャリッジ２００を容易に組み付けることができる。さらに、これらの組立性を向上させるため、第３ガイド面１０１ｃおよび第４ガイド面１０１ｄに対しても同様のガイドテ―パ部を設けてもよい。
【００３０】
キャリッジシャーシ２０１には、軸２０８とコロ軸２１０が備えられている。軸２０８には出力ギア２０９が回転可能に軸支され、コロ軸２１０にはコロ２１１が回転可能に軸支されている。これらは、キャリッジ２００とベルト１０２との相対移動に応じて、カッターユニット３００の下可動刃３０２を回転駆動するための駆動機構を構成する。出力ギア２０９はベルト１０２の歯部と噛み合わされている。コロ２１１は、出力ギア２０９に対するベルト１０２の巻き付け量を増やすようにベルト１０２をガイドすることにより、ベルト１０２と出力ギア２０９の噛み合い量を増して、それらの間の歯飛びを抑制する。ベルト１０２を介して、キャリッジ２００を矢印Ｘ１，Ｘ２に往復移動させると、ベルト１０２と噛み合う出力ギア２０９は、軸２０８を中心として回転される。出力ギア２０９は、カッターユニット３００の下可動刃３０２の駆動力を供給する供給部を構成する。出力ギア２０９には、軸２０８の外周部に位置する断面多角形（本例の場合は、断面六角形）の出力部２０９ａが設けられており、その出力部２０９ａは、シート１の搬送方向下流側に突出している。出力部２０９ａは、後述するように、カッターユニット３００の下可動刃３０２に回転力を伝達する。
【００３１】
（カッターユニットの構成）
図８は、カッターユニット３００の可動刃３０１，３０２を上方から視た拡大図、図９は、カッターユニット３００が矢印Ｘ１方向（切断方向）に移動しているときの分解図、図１０は、カッターユニット３００が矢印Ｘ２方向に移動しているときの分解図である。
【００３２】
上可動刃３０１は、上回転軸３０３と一体に回転可能な円盤状の丸刃であり、画像がプリントされたシート１のプリント面の上方に配備されている。下可動刃３０２は、下回転軸３０４と一体に回転可能な円盤状の丸刃であり、シート１のプリント面と反対側の面の下方に配備されている。上回転軸３０３は、主ホルダ３０５と上ホルダ３０６との間に回転可能に軸支されている。下可動刃３０２は、上可動刃３０１よりもシート１の搬送方向下流側に配されており、矢印Ｘ１の切断方向に対して所定量の角度θ（交差角）を成すように、下回転軸３０４が主ホルダ３０５と下ホルダ３０７との間に回転可能に軸支されている。下ホルダ３０７が上ホルダ３０６よりも矢印Ｘ２に所定量ずれて配備されることにより、下回転軸３０４は、切断方向Ｘ１に直交する図８中の上下方向に対して傾くこととなる。そのため、下可動刃３０２が矢印Ｘの切断方向に対して所定量の角度θ（交差角）傾いて、交差角θが設定される。下可動刃３０２と可動刃ホルダ３０５との間には、下回転軸３０４の周囲に位置する押圧バネ３０８が配備されており、この押圧バネ３０８により、下可動刃３０２は上可動刃３０１と点接触するように押圧される。上可動刃３０１と下可動刃３０２との接触点が切断点３０９となり、この切断点３０９にてシート１が切断される。
【００３３】
多種多様なシートに対する切断開始時の可動刃３０２，３０１の食い付をよくして切断性能を高めるためには、切断方向（矢印Ｘ１方向）に対する交差角θを大きくすることが必要である。しかし、交差角θ大き過ぎた場合いは、シートの切断面が切り剥がされて、シートが紙の場合には紙粉が多く発生する等、切断品位の低下をもたらすおそれがある。そのため、交差角θを高精度に設定するように、可動刃３０２，３０１を位置決めすることが必要となる。交差角θは、主ホルダ３０５に対する上ホルダ３０６の組み付け位置によって位置が設定される上可動刃３０１と、主ホルダ３０５に対する下ホルダ３０７の組み付け位置によって位置が設定される下可動刃３０２と、によって決定される。上ホルダ３０６および下刃ホルダ３０７は、それぞれ主ホルダ３０５に対して組み付け位置の微調整が可能であり、これにより交差角θを調整可能にすることができる。交差角θの調整後は、上ホルダ３０６および下ホルダ３０７のそれぞれが主ホルダ３０５に固定されることにより、交差角θが維持される。
【００３４】
カッターユニット３００は、下可動刃３０２を強制的に回転させるための入力ギア３１０と、振り子ギア３１１と、回転ギア３１２と、を有する。入力ギア３１０には穴形状の入力部３１０ａが設けられており、その入力部３１０ａには、断面多角形（本例の場合は、断面六角）の内周部が形成されている。その入力部３１０ａと、キャリッジ２００側の出力ギア２０９の回転出力部２０９ａと、が嵌合することにより、出力ギア２０９と入力ギア３１０とが連結される。前述したように、キャリッジ２００の往復移動に伴って出力ギア２０９が回転する。その出力ギア２０９の回転力は入力ギア３１０に伝達される。つまり、入力ギア３１０は、カッターユニット３００の移動に伴って矢印Ｂ１，Ｂ２方向に回転される。
【００３５】
振り子ギア３１１は、入力ギア３１０の一方向の回転を回転ギア３１２に伝達する。すなわち、入力ギア３１０が図９中の矢印Ｂ１方向に回転したときに、振り子ギア３１１は、入力ギア３１０の軸を中心として矢印Ｒ１方向に回転して、回転ギア３１２と噛み合う位置まで回転してから、回転ギア３１２に回転を伝達する。これにより回転ギア３１２は、図９中の矢印方向に回転される。一方、入力ギア３１０が図１０中の矢印Ｂ１向に回転したときには、振り子ギア３１１は、入力ギア３１０の軸を中心として矢印Ｒ２方向に回転して、不図示のストッパにより図１０に示す位置にて止められる。これにより、振り子ギア３１１は回転ギア３１２と噛み合わず、回転ギア３１２は回転されない。回転ギア３１２は下回転軸３０４に取り付けられており、回転ギア３１２が回転することにより、下可動刃３０２も回転することとなる。上可動刃３０１は、下可動刃３０２と切断点３０９にて接触しているため、下可動刃３０２が回転すると上可動刃３０１は従動回転する。
【００３６】
カッターユニット３００が矢印Ｘ１の切断方向Ｘ１へ移動されるときは、上可動刃３０１と下可動刃３０２は、図９のように切断点３０９にシート１を引き込む方向に回転する。このように回転する上可動刃３０１と下可動刃３０２の協働により、シート１を容易に切断することができる。一方、カッターユニット３００が矢印Ｘ２方向へ移動されるときは、図１０のように、振り子ギア３１１の回転は回転ギア３１２に伝達されないため、上可動刃３０１と下可動刃３０２は回転されない。これにより、上可動刃３０１と下可動刃３０２の摩耗を抑制し、結果的に、それらの耐久性を高めることができる。
【００３７】
（カッターユニットの着脱）
カッターユニット３００は、キャリッジ２００に対して交換可能に結合される。つまり、カッターユニット３００は、キャリッジ２００に対して着脱可能である。図１１は、カッターユニット３００を背面から視た斜視図、図１２は、カッターユニット３００の正面から視た斜視図である。図１３は、カッターユニット３００の取り付け始めの段階における要部の断面図、図１４は、カッターユニット３００を取り付け途中の段階における要部の断面図、図１５は、カッターユニットを取り付け後における要部の断面図である。
【００３８】
キャリッジ２００の軸２０８は、出力部２０９ａの先端から搬送方向下流側に突出する先端部２０８ａを有し、カッターユニット３００の主ホルダ３０５は位置決め穴Ａ３０５ｇを有する。軸２０８の先端部２０８ａが位置決め穴３０５ｇに嵌合することによって、カッターユニット３００が位置決めされる。また、キャリッジホルダ２０２はカッターユニット位置決め穴２０２ｂを有し、主ホルダ３０５は位置決め部３０５ａを有する。位置決め部３０５ａが位置決め穴２０２ｂに嵌合することによって、出力部２０９ａを中心に回転する方向において、カッターユニット３００が位置決めされる。このように、軸２０８の先端部２０８ａと位置決め穴３０５ｇとの嵌合、および位置決め部３０５ａと位置決め穴２０２ｂとの嵌合によって、キャリッジ２００に対して、カッターユニット３００が位置決めされる。前述したように、キャリッジ２００側の出力部２０９ａと、カッターユニット３００側の入力部３１０ａと、が嵌合することにより、出力ギア２０９と入力ギア３１０とが連結して下可動刃３０２の駆動力伝達系が形成される。つまり、出力部２０９ａと入力部３１０ａは、キャリッジ２００から供給される駆動力（回転駆動力）をカッターユニット３００の下可動刃３０２に伝達する伝達機構を構成する。出力部２０９ａ、入力部３１０ａ、軸２０８の先端部２０８ａ、および位置決め穴３０５ｇは、キャリッジ２００とカッターユニット３００の結合方向に沿って延在する同一の軸線Ｏ（図１３参照）上に位置するように配備されている。
【００３９】
このように、軸２０８の先端部２０８ａと位置決め穴３０５ｇとの嵌合によってカッターユニット３００が位置決めされ、その軸２０８と同一軸線上に位置する出力ギア２０９と入力ギア３１０との連結によって下可動刃３０２の駆動力伝達系が連結される。つまり、前者のカッターユニット３００の位置決めと、後者の下可動刃３０２の駆動力伝達系の連結と、は、同軸上において互いに干渉させることなく行うことができる。両者の機能を同軸上にまとめることにより、それらの機能を発揮する部分を離れた位置に設定した場合に比して、カッターユニット３００の取り付けの作業性を高めることができると共に、省スペース化を図ることができる。仮に、両者の機能を発揮する部分が離れた別々の位置に設定された場合には、それらの部分における個別の嵌合作業が必要となり、一方の部分を先に嵌合させたときに、他方の部分の嵌合が難しくなる。また本例においては、出力部２０９ａが入力部３１０ａ内に挿入されてから、位置決め部３０５ａが位置決め穴２０２ｂ内に挿入されるように、出力部２０９ａの長さが位置決め部３０５ａよりも長く設定されている。このように、嵌め合いの順序を設定することにより、カッターユニット３００の取り付けの作業性をより高めることができる。
【００４０】
位置決め部３０５ａの内部には、固定ネジ３１３を収容する収容部が形成されている。位置決め部３０５ａは、カッターユニット３００の結合方向に延在する円筒状であり、その中心軸上に位置するように固定ネジ３１３が配備されている。位置決め穴２０２ｂの底部に位置するキャリッジシャーシ２０１の部分に、この固定ネジ３１３をネジ付けることにより、カッターユニット３００がキャリッジ２００に固定される。このように、位置決め部３０５ａと位置決め穴２０２ｂとによるカッターユニット３００の位置決め機能と、位置決め部３０５ａ内の固定ネジ３１３によるカッターユニット３００の固定機能と、を同軸上にまとめられている。したがって、それらの機能を発揮する部分が離れた別々の位置に設定された場合に比して、カッターユニット３００の取り付けの作業性を高めることができると共に、省スペース化を図ることができる。また、位置決め部３０５ａと位置決め穴２０２ｂは、軸線Ｏを中心とするキャリッジ２００とカッターユニット３００との相対回転を止める回り止め機構としても機能する。
【００４１】
主ホルダ３０５には、位置決め部３０５ａ内の固定ネジ３１３の落下を防止するために、固定ネジ３１３の頭部に引っ掛かる爪３０７ａが設けられている。これにより、キャリッジ２００からカッターユニット３００を取り外した場合に、固定ネジ３１３の落下を防止することができる。固定ネジ３１３の頭部が爪３０７ａに引っ掛かって、その落下が防止されている状態において、固定ネジ３１３が全長に渡って位置決め部３０５ａ内に収まるように爪３０７ａの位置が設定されている。カッターユニット３００をキャリッジ２００に取り付ける際には、固定ネジ３１３の先端部が位置決め部３０５ａ内に収まるため、その固定ネジ３１３の先端部が回転止め穴２０２ｂ付近に当たることによる破損などの発生を防止することができる。固定ネジ３１３は、図１１および図１２のように、カッターユニット３００における切断方向（矢印Ｘ１方向）の前方側の部分に配され、入力部３１０ａは、カッターユニット３００における切断方向の後方側に配されている。固定ネジ３１３が切断方向の前方側に位置することにより、シート１の切断抵抗力を固定ネジ３１３による固定部分において効果的に受けて、カッターユニット３００のふら付きを抑えて、カッターユニット３００の姿勢を安定させることができる。
【００４２】
カッターユニット３００をキャリッジ２００に取り付ける際には、まず、図１３のように、軸２０８の先端部２０８ａを入力部３１０ａに挿入する。先端部２０８ａは、出力部２０９ａよりも細い先細形状であり、かつ入力部３１０ａの内径よりも充分に細く設定されており、カッターユニット３００を取り付ける際の最初のガイド部となる。すなわち、先端部２０８ａと入力部３１０ａとの嵌合により、カッターユニット３００の位置がおおまかに規制される。前述したように、先端部２０８ａが位置決め部３０５ａよりも長く設定されているため、図１３のように、入力部３１０ａに先端部２０８ａが挿入され始めた状態では、位置決め部３０５ａは、未だ、位置決め穴２０２ｂ内に挿入されていない。
【００４３】
また、カッターユニット３００がキャリッジ２００から取り外された状態において、入力ギア３１０は、図１３のように、隙間Ｇによって軸２０８の挿入方向に対する揺動およびスライドが許容される。つまり、入力部３１０ａが形成されている入力ギア３１０は、キャリッジ２００に対するカッターユニット３００の結合方向と交差する方向に変位可能である。この隙間Ｇは、入力ギア３１０の揺動のみ、またはスライドのみを許容するものであってもよい。また隙間Ｇは、少なくとも入力ギア３１０と振り子ギア３１１と歯底当たりしない範囲において、入力ギア３１０の傾きを許容するように設定されており、入力ギア３１０はカッターユニット３００に対して若干傾くことができる。
【００４４】
したがって、カッターユニット３００をキャリッジ２００に結合させる際に、キャリッジ２００に対するカッターユニット３００の位置が若干ずれていたとしても、入力部３１０ａは、傾きながら出力部２０９ａを案内する。この結果、カッターユニット３００の取り付けの作業性を高めることができる。さらに使用者は、視野を確保するように、カッターユニット３００を傾けて取り付けることができる。
【００４５】
ここで、入力部３１０ａおよび出力部２０９ａを同じ色（本明細書では、同一色または同系色を意味するものとする）同一の色として、他の周辺部品の色と異ならせている。これにより、使用者は、初めて取り付ける場合でも入力部３１０ａと出力部２０９ａの関係を視覚的に認識して、それらを容易に嵌め合わせることができる。
【００４６】
図１４のように、さらにカッターユニット３００を挿入することにより、位置決め部３０５ａが位置決め穴２０２ｂ内に挿入される。このとき、出力部２０９ａは、また入力部３１０ａに挿入されていない。そのため、カッターユニット３００は、入力部３１０ａと先端部２０８ａによる規制の範囲内において動くことができ、位置決め部３０５ａは、位置決め穴２０２ｂ内に挿入し易い。
【００４７】
その後、さらにカッターユニット３００を挿入することにより、図１５のように、入力部３１０ａ内に出力部２０９ａが挿入されて、それらが連結される。また、位置決め穴Ａ３０５ｇに先端部２０８ａが挿入されることにより、キャリッジ２００に対してカッターユニット３００が位置決めされる。したがって、図１４のように、位置決め部３０５ａを位置決め穴２０２ｂに挿入した後に、図１５のように、出力部２０９ａおよび先端部２０８ａのそれぞれが入力部３１０ａおよび位置決め穴３０５ｇに挿入される。このように、これらの挿入時期をずらすことにより、それらを同時に挿入する場合よりも取り付けの作業性を向上させることができる。
【００４８】
このように、軸（軸部）２０８と、それと嵌合する位置決め穴３０５ｇと、出力部２０９ａと、それと嵌合する入力部３１０ａと、は、キャリッジ２００とカッターユニット３００との対向位置に設けられる第１組の嵌合部を構成する。また、凸状の軸２０８と出力部２０９ａはキャリッジ側凸部を構成し、凹状の位置決め穴３０５ｇと入力部３１０ａはカッターユニット側凹部を構成する。また、位置決め穴２０２ｂと位置決め部３０５ａは、キャリッジ２００とカッターユニット３００との対向位置に設けられる第２組の嵌合部を構成する。また、凹状の位置決め穴２０２ｂはキャリッジ側凹部を構成し、凸状の位置決め部３０５ａはカッターユニット側凸部を構成する。したがって、第１組の嵌合部は、第２組の嵌合部よりも先に結合が開始されることになる。より具体的には、軸２０８と入力部３１０ａとの緩い嵌合が開始された後、出力部（伝達凸部）２０９ａと入力部（伝達凹部）３１０ａとの嵌合が開始されてから、軸２０８と位置決め穴３０５ｇとの嵌合が開始される。また、軸２０８と入力部３１０ａとの緩い嵌合が開始されてから、出力部２０９ａと入力部３１０ａとの嵌合が開始されるまでの間に、図１４のように、位置決め穴２０２ｂと位置決め部３０５ａとの嵌合が開始される。このように、それぞれの嵌合部分における嵌合の開始時期をずらすことにより、カッターユニット３００の結合の作業性を向上させることができる。
【００４９】
軸２０８の先端部２０８ａは充分な長さを有し、その長さは、図１５のようにカッターユニット３００が位置決めされた後に、使用者がカッターユニット３００から手を離しても、それをキャリッジ２００から落下させない長さである。例えば、図１５のようにカッターユニット３００をキャリッジ２００に位置決めしたときに、先端部２０８ａの先端（図１５中の左端）がカッターユニット３００の重心よりも図１５中の左側に位置するように、先端部２０８ａの長さを設定する。このように、重力によるカッターユニット３００の落下が防止されるため、使用者は、図１５のようにカッターユニット３００を位置決めした後、それから手を離して、固定ネジ３１３によるカッターユニット３００の固定作業をすることができる。この結果、カッターユニット３００の取り付けの作業性が向上する。
【００５０】
カッターユニット３００の取り付け作業中において、それが正しい位置になかった場合には、軸２０８の先端部２０８ａが上可動刃３０１および下可動刃３０２に接触するおそれがある。つまり、カッターユニット３００の結合時に、先端部２０８ａが可動刃３０１，３０２と対向した際に、それは接触するおそれがある。そこで本例においては、ガイドレール１０１に突き当て部１０１ｇ（図７参照）が設けられている。その突き当て部１０１ｇは、軸２０８の先端部２０８ａが上可動刃３０１および下可動刃３０２に接触する前に、それらの接触の発生を阻止するように、カッターユニット３００の位置決め部３０５ａと接する。位置決め部３０５ａと接触する突き当て部１０１ｇのような部分を設ける位置は、ガイドレール１０１に限られず、キャリッジ２００を構成する部品、あるいは切断装置５以外の部品に設けてもよい。位置決め部３０５ａと突き当て部１０１ｇは、カッターユニット３００の結合時に先端部２０８ａが可動刃３０１，３０２と対向した際に、互いに接触可能な対の対向部を構成する。
【００５１】
カッターユニット３００の着脱時に使用者がそれを安定して手で持つために、主ホルダ３０５の両側面には手掛かり部３０５ｂ（図９参照）が設けられている。図９のように、手掛かり部３０５ｂ、入力部３１０ａ、位置決め部３０５ａ、および固定ネジ３１３は、矢印Ｘ１，Ｘ２方向に沿って略同一の直線上に配されており、これにより、カッターユニット３００の着脱時の保持性および操作性を確保することができる。また、カッターユニット３００は、手掛かり部３０５ｂ以外の部分は面を小さくして持ちにくい形状とすることにより、使用者は、初めて着脱する場合でも、手掛かり部３０５ｂを持つ部分として容易に認識することができる。
【００５２】
（カッターユニットの外装形状）
図１１および図１２のように、主ホルダ３０５は、支持部３０５ｃ１、支持部３０５ｃ２、押出し部３０５ｄ、およびガイド部３０５ｅを有し、また、上ホルダ３０６はガイド部３０６ａを有する。カッターユニット３００に切断長さの短いシート１を切断したときに、切断されたシートの挙動が不安定となって、そのシートがガイドレール１０１内に入り込むおそれがある。このような状態において、切断動作が終わったカッターホルダ３００が方向Ｘ２へ移動したときに、それがガイドレール１０１内に入り込んだシートと接触して動作不良が生じるおそれがある。そこで本例においては、切断されたシートの裏面を支持部３０５ｃ１および支持部３０５ｃ２によって支持する。すなわち、支持部３０５ｃ１は、上可動刃３０１と下可動刃３０２との切断点３０９（図９参照）の近傍から切断方向（矢印Ｘ１方向）の上流側に向かって延在し、かつシート１の搬送方向下流側に位置する。支持部３０５ｃ２は、切断点３０９の近傍から切断方向の下流側に向かって延在し、かつシート１の搬送方向下流側に位置する。これにより、シート１の切断時に、そのシート１の切断前の部分は支持部３０５ｃ１によって支持され、切断後の部分は支持部３０５ｃ２によって支持される。この結果、シート１を安定した姿勢で切断し、かつ切断されたシートを確実に排出することができる。
【００５３】
また、シート１の切断後、カッターユニット３００が矢印Ｘ２方向に戻る際に、切断されたシートの後端が上可動刃３０１と下可動刃３０２との切断点３０９に入り込んだ場合には、その切断されたシート１の後端が再度切断されるおそれがある。そこで本例においては、切断されたシート１の後端を押出し部３０５ｄによって押し出す。すなわち、押出し部３０５ｄは、切断点３０９よりもシート１の搬送方向下流側に突出しており、カッターユニット３００が矢印Ｘ２方向に戻るときに、切断されたシートを搬送方向下流側に押出す。これにより、切断されたシートの後端部が再度切断されることを防止することができる。
【００５４】
また、シート１の切断後、カッターユニット３００が矢印Ｘ２方向に戻る際に、切り残り側のシート１の端部が主ホルダ３０５および上ホルダ３０６に接触した場合には、その切り残り側のシート１における画像のプリント面が傷付けられるおそれがある。そこで本例においては、ガイド部３０５ｅおよびガイド部３０６ａを設けた。これらのガイド部３０５ｅ，３０６ａは、シート１における画像のプリント面と対向する側、かつ搬送方向上流側に位置し、搬送方向の上流に向かうにしたがって上方へ傾斜するテ―パ形状となっている。これらのガイド部３０５ｅ，３０６ａは、カッターユニット３００が矢印Ｘ２方向に戻るときに、切り残り側のシート１の端部をガイドする。これにより、主ホルダ３０５および上ホルダ３０６に対するシート１の端部と接触を回避、若しくは接触領域をシート１の端部の先端部分のみに抑えて、画像のプリント面の傷付きを抑制することができる。
【００５５】
（カッターユニットの交換）
図１６は、カッターユニット３００の交換時の動作を説明するためのフローチャートである。
【００５６】
まず、プリント装置１００の操作部（不図示）において、カッターユニット３００の交換モードを選択されることにより、カッターユニット３００がキャリッジ２００と共に所定の交換位置まで移動される（ステップＳ１）。その交換位置は、使用者がカッターユニット３００の交換しやすい作業位置であり、例えば、カッターユニット３００の矢印Ｘ１，Ｘ２方向の移動領域の略中央位置などに設定される。次に、固定ネジ３１３を外してカッターユニット３００を取り外し、それに代わる新規なカッターユニット３００を、前述したように、キャリッジ２００に位置決めしてから固定ネジ３１３によって固定する（ステップＳ２）。このようにカッターユニット３００を交換してから、プリント装置１００の操作部からの交換完了した旨の入力を待って、カッターユニット３００の交換完了を確認する（ステップＳ３）。その後、キャリッジ２００を矢印Ｘ１方向に移動させて（ステップＳ４）、その一部をカッターモータ１０３側の不図示のストッパに突き当てる。その突き当て時のカッターモータ１０３の負荷変動を検知することにより、その突き当て位置を確認する（ステップＳ５）。
【００５７】
このような突き当て時には、下記の理由によりベルト１０２の歯飛びが生じ難いため、カッターモータ１０３の負荷変動を確実に検知して、突き当て位置を正確に認識することができる。前述したように、ベルト１０２の両端部、つまりモータプーリ１０７側の一端部、およびテンショナプーリ１０８側の他端部は、それぞれキャリッジホルダ２０２のベルト挿入部２０２ａに連結されている。ベルト１０２は、その一端部とモータプーリ１０７との間の部分の長さが比較的短く、その他端部とモータプーリ１０７との間の部分の長さは、テンショナプーリ１０８を通して折り返されているため比較的長い。キャリッジ２００を矢印Ｘ１方向に移動させてストッパに突き当てる際には、ベルト１０２における前者の短い部分がカッターユニット３００を引っ張るため、その部分の伸び量が小さく、モータプーリ１０７との間における歯飛びが生じ難い。仮に、キャリッジ２００を矢印Ｘ２方向に移動させて、テンショナプーリ１０８側の不図示のストッパに突き当てた場合には、ベルト１０２における後者の長い部分がカッターユニット３００を引っ張ることになる。そのため、その長い部分の伸び量が大きく、モータプーリ１０７との間における歯飛びが生じやすくなる。
【００５８】
ステップＳ５にて突き当て位置を確認した後、その突き当て位置を基準として、エンコーダ１０４の出力信号（パルス信号）に基づく位置制御によりキャリッジ２００を矢印Ｘ２方向に移動させて、それを待機位置Ｐ１に位置させる（ステップＳ６）。そして、待機位置Ｐ１に備わる待機位置センサ１０６によって、カッターユニット３００のセンサフラグ部３０５ｆが検知されたか否かを判定する（ステップＳ７）。それが検出された場合には、カッターユニット３００が正しく交換されたと判断して一連の処理を終了する。一方、それが検出されなかった場合には、カッターユニット３００が正常に取り付けられていない、またはキャリッジ２００の移動動作が正常ではない、と判断し、その判断内容を使用者に報知するなどのエラー処理をする（ステップＳ８）。
【００５９】
（ユニット構成）
切断装置５におけるキャリッジ２００とカッターユニット３００は、それぞれユニット化されていて互いに着脱可能である。可動刃３０１，３０２は、ユニット化されたカッターユニット３００に備えられているため、可動刃３０１，３０２の磨耗等により、その交換が必要となった場合には、カッターユニット３００を交換するだけでよい。仮に、キャリッジ２００とカッターユニット３００がユニット化されてなくて、可動刃３０１，３０２が切断装置５に組み付けられていた場合には、切断装置５を分解しなければ可動刃３０１，３０２を交換することができず、極めて面倒となる。特に、切断装置５がプリント装置１００などの装置に組み込まれている場合には、可動刃３０１，３０２の交換は極めて面倒となる。
【００６０】
前述したように、回転力を出力するキャリッジ２００側の出力部２０９ａ、および、その回転力を入力するカッターユニット３００側の入力部３１０ａは、下可動刃３０２の回転力の伝達機能と、カッターユニット３００の位置決め機能と、を兼有する。これにより、キャリッジ２００およびカッターユニット３００の小型化を図ることができ、特に、カッターユニット３００の小型化により、それが取り扱いやすくなり、それを交換する際の作業性が大幅に向上する。
【００６１】
（他の実施形態）
シートを切断する切断装置の刃の構成は、２つの回転する可動刃（回転刃）を用いる構成のみに限定されず、シートとの相対移動を伴って、そのシートを切断できる構成であればよい。例えば、上下に移動する可動刃、固定刃、および可動刃と固定刃の組み合わせを用いる構成などであってもよく、また刃は１つであってもよい。また、切断装置は、プリント装置の他、シートを扱う種々の装置に組み込むことができる。
【００６２】
ガイドレール１０１にキャリッジ２００を移動自在にガイドするガイド機構においては、ガイドレール１０１のガイド面に接するガイド部材として、回転可能なコロ２０５Ａ，２０５Ｂが備えられている。そのガイド部材は、回転せずに、ガイドレール１０１のガイド面と接触しつつスライドするものであってもよい。その場合、そのガイド部材には、回転可能なコロ２０５Ａ，２０５Ｂと同様に、ガイドレール１０１と接する少なくとも２つの被ガイド面を形成することができ、また、そのガイド部材の配備数は１つ以上であればよい。また、このようなガイド機構は、種々のキャリッジを移動自在にガイドするためのガイド機構として広く適用することができる。例えば、プリントヘッド２が搭載されるキャリッジ３、あるいは画像の読取りヘッドが搭載されるキャリッジなどのガイド機構として用いることができる。
【符号の説明】
【００６３】
１  シート
５  切断装置
２００  キャリッジ
２０２ｂ  位置決め穴（位置決め凹部）
２０８  軸
２０８ａ  先端部（位置決め凸部）
２０９ａ  出力部（伝達凸部）
３００  カッターユニット
３０１，３０２  可動刃（回転刃）
３０５ａ  位置決め部（位置決め凸部）
３０５ｇ  位置決め穴（位置決め凹部）
３１０ａ  入力部（伝達凹部）
Ｏ  軸線
【図１】
0006659106.tif 000002
【図２】
0006659106.tif 000003
【図３】
0006659106.tif 000004
【図４】
0006659106.tif 000005
【図５】
0006659106.tif 000006
【図６】
0006659106.tif 000007
【図７】
0006659106.tif 000008
【図８】
0006659106.tif 000009
【図９】
0006659106.tif 000010
【図１０】
0006659106.tif 000011
【図１１】
0006659106.tif 000012
【図１２】
0006659106.tif 000013
【図１３】
0006659106.tif 000014
【図１４】
0006659106.tif 000015
【図１５】
0006659106.tif 000016
【図１６】
0006659106.tif 000017